(57)【要約】      （修正有）【課題】ミズゴケおよびその乾燥物を介して緑化植物体に水を供給することのできる壁面緑化として、柔軟性のあるユニット基盤または基盤内部に骨格構造体をもつユニット基盤が開発されている。しかしながら、本骨格構造体は柔軟性がなく規格に制約があり、かつ流れや水位が限定されて幅広い用途では使用できない。また上記柔軟性基盤は、水が供給できる部位が不確定となり、オーバーフローによって下部の基盤に水が移行する際に水道が安定せずムラができるという問題が認められる。【解決手段】柔軟素材で作成した水を流せることが可能な開放部位をもつ構造体の上部より下の位置に、別の水出口をもつことを特徴とする植生基板を提供し、かつその植生基板表面部分へ乾燥ミズゴケおよび養成植物を固定する領域を設置することにより、上記の柔軟基盤と骨格基盤がそれぞれもつ両方の課題を解決し得ることを見出した。【選択図】図１３
2009207479.tif 000002
【特許請求の範囲】
【請求項１】
上部に開放口をもち、かつ底部に水を流すことの可能な水路状、パイプ状、袋状、平盤状、層状、箱状、球状またはこれらを複合化させた形状をもつ構造体において、内部に乾燥ミズゴケを充填し、かつ外部にも乾燥ミズゴケを固定させ、底部以外の領域で内部と外部の乾燥ミズゴケを接触させることを特徴とする植生基盤。
【請求項２】
前記植生基盤において、開放口より下部に穴または別の開放口をもつことを特徴とする、請求項１記載の植生基盤。
【請求項３】
前記植生基盤において、水を入れる構造部分（以下水路体ともいう）が柔軟性のある薄層材で水を通すことを特徴とする、請求項２記載の植生基盤。
【請求項４】
前記植生基盤の薄層材内部に、輪郭となる枠または骨格構造体をもたせず、外部にミズゴケおよび養成植物を固定可能な骨格領域をもたせることを特徴とする、請求項３記載の植生基盤。
【請求項５】
前記植生基盤の薄層材内部に、乾燥ミズゴケを充填し、下部または底部の水のある部分より上方に開放された領域から外部に固定した乾燥ミズゴケとを接触させ、かつ内側底部の水のある部分に位置する乾燥ミズゴケと、外側に固定された乾燥ミズゴケと（を）接触させることで水を外部に浸潤させ、外部表面に固定された乾燥ミズゴケ層に生きたミズゴケまたは他の植物を重層あるいは接地させた状態で固定させることを特徴とする、請求項１〜４のいずれかに記載の植生基盤。
【請求項６】
前記植生基盤の水路体開放口側の乾燥ミズゴケ、生きたミズゴケまたは他の養成植物を、線状、ベルト状、またはベルト状の素材、あるいはこれら形状をもつ素材の組み合わによって表面から固定することを特徴とする請求項１〜５のいずれかに記載の植生基盤。
【請求項７】
請求項１〜６のいずれかに記載の植生基盤において、底部の水領域にある水を、乾燥ミズゴケと接触させることにより、当該水を当該乾燥ミズゴケ全体に浸潤させ、コケ植物または他の植物の養生を行うことを特徴とする、植生基盤の使用方法。
【請求項８】
請求項１〜６のいずれかに記載の植生基盤において、当該基盤の水路体単体を１ユニットとした場合、ユニットの水みち部位が下になるよう、この水路体を複数個上下あるいは垂直方向に配置した際、各水路体の開放口より下部に設けられた別の開口部位から、貯留された水が溢れた場合に、その水が直下にあるユニットの水路体内部に入ることを特徴とする、請求項７記載の植生基盤の使用方法。
【請求項９】
前記使用方法において、供給される水が蒸散効果で失われる量を除いては、水の供給を停止しても、水を絶えず供給し貯水部位が流水状態になった場合においても、各水路体の底部がもつ水量は一定に保たれることを特徴とする植生基盤。
【請求項１０】
前記使用方法において、各ユニットは独立しており、上部と下部において設けられた２カ所の水溜場を一組としなくとも、１カ所の水溜場のみで広平面全体にわたり水が供給され浸潤されることを特徴とする、請求項９記載の植生基盤の使用方法。
【発明の詳細な説明】
【技術分野】
【０００１】  本発明は、植生基盤、具体的にはコケ植物全般、草本性植物全般、低木性の木本植物全般、および木本性植物の苗の養生を行うことを主要な目的とする植生基盤、及び、その壁面等における使用方法に関する発明である。
【背景技術】
【０００２】  近年、ミズゴケ栽培増殖に関する研究により、絶滅危惧植物である本種を含めその他希少種が安定かつ容易に大量栽培することが可能になった。この発明は、現在、屋上緑化、ダムや湖水でのフロー栽培ならびに自然環境に生息する環境修復など屋外条件下を前提としたフィールドにおける大量栽培に大きく貢献している。
このミズゴケを栽培可能とした発明は、２００４年から２００５年にかけての発明当初にあたる製品はおもに水面や水平面に限定されていたが、２００６年以降、壁面基盤が開発され、かつ薄層でも水の供給に偏りをもたない壁面ミズゴケ栽培が実現した。これら基盤は同一の基盤を複数作製し壁や斜面に取り付けることも可能である（このとき作製する最小単位の同一基盤を以下「ユニット」または「ユニット基盤」という）。この実現によりミズゴケ以外のコケ植物、シダ植物を含めた維管束植物を生育させることの可能な壁面緑化基盤が製品化された。
【発明の開示】
【発明が解決しようとする課題】
【０００３】  現在、ミズゴケおよびその乾燥物を介して緑化植物体に水を供給することのできる壁面緑化として、柔軟性のあるユニット基盤または基盤内部に骨格構造体をもつユニット基盤が開発されている。これらの基盤の特徴は、ユニット内部に水を溜めることを前提に植物を基盤に定植させることを特徴としている。しかしながら、本骨格構造体は養成させる植物体の取り付けが簡便ではあるが、柔軟性がなく規格に制約があり、かつ流れを考慮していないため、その水位が不安定でコントロールすることが難しく幅広い用途では使用できない。また上記柔軟性基盤は、設置する壁面が平面でない場所でも施工できる利点をもつが、水が供給できる部位が不確定となり、オーバーフローによって下部の基盤に水が移行する際に水道が安定せずムラができることから、柔軟型基盤と骨格構造体をもつユニット基盤の双方の欠点を補うことの可能な技術の提供が待たれている。
【課題を解決するための手段】
【０００４】  本発明者はこの課題の解決に向けて鋭意検討を重ねた。その結果、柔軟素材で作成した水を流すことが可能な構造体の上部以外に、別の水出口をもつことを特徴とする植生基板を提供し、かつその植生基板表面部分へ乾燥ミズゴケおよび養成植物を固定する領域を設置することにより、上記の柔軟基盤と骨格基盤がそれぞれもつ両方の課題を解決できる本発明を完成した。【０００５】  すなわち、本発明は、柔軟性のある薄層材で水を流することが可能な形状の片側にのみ開放口をもたせる以外に、開放口下部にも水を排出させるための別の出口を設け、この水路体内部の水が存在する底部領域に乾燥ミズゴケを挿入あるいは接触させ、さらに内部水域部より上方に開放された領域から外部に固定した乾燥ミズゴケとを接触させ、これにより内側の水域にある乾燥ミズゴケと、外側に固定された乾燥ミズゴケとの接触により水を外部に浸潤させることで、片側表面の生きたミズゴケまたはその他植物を養生することを特徴とする植生基盤の使用方法を提供する発明である。【０００６】  なお、「ミズゴケ」とは、特に断らない限り、野生に生えた状態と実質的に同一の状態の生長可能なミズゴケである。また、「乾燥ミズゴケ」とは、前記の生長可能なミズゴケに加熱滅菌処理を施したミズゴケのことを意味し（市販品も可）、さらに、前記の生長ミズゴケを自然乾燥させて得られるミズゴケのことも意味する。いずれにしても、「乾燥ミズゴケ」とは、主に、殺菌死滅処理を加えたミズゴケ（市販品も可）を意味するものであるが、生長ミズゴケ（生命活動が維持されているミズゴケ）を単純に乾燥したものも含むものとし、その製造工程のことを特定する用語であり、それが水を含んでいるか否か、あるいは湿潤であるか否かは問題とならない。【０００７】  また、本発明が適用され得るミズゴケは、コケ植物蘚類  ミズゴケ科  ミズゴケ属（Ｓｐｈａｇｎｕｍ  Ｌ．）に属する全てを意味し、例えば、日本国原産のものであれば、オオミズゴケ（Ｓｐｈａｇｎｕｍ  ｐａｌｕｓｔｒｅ  Ｌ．）、イボミズゴケ（Ｓｐｈａｇｎｕｍ  ｐａｐｉｌｌｏｓｕｍ  Ｌｉｎｄｂ．）、ムラサキミズゴケ（Ｓｐｈａｇｎｕｍ  ｍａｇｅｌｌａｎｉｃｕｍ  Ｂｒｉｄ．）、キレハミズゴケ（Ｓｐｈａｇｎｕｍ  ａｏｎｇｓｔｒｏｅｍｉｉ  Ｃ．Ｈａｒｔｍ）、キダチミズゴケ（Ｓｐｈａｇｎｕｍ  ｃｏｍｐａｃｔｕｍ  ＤＣ．）、コアナミズゴケ（Ｓｐｈａｇｎｕｍ  ｍｉｃｒｏｐｏｒｕｍ  Ｗａｒｎｓｔ．ｅｘ  Ｃａｒｄ）、コバノミズゴケ（Ｓｐｈａｇｎｕｍ  ｃａｌｙｍｍａｔｏｐｈｙｌｌｕｍ  Ｗａｒｎｅｓｔ．＆  Ｃａｒｄ．）、ユガミミズゴケ（Ｓｐｈａｇｎｕｍ  ｓｕｂｓｅｃｕｎｄｕｍ  Ｎｅｅｓ  ｅｘ  Ｓｔｕｒｍ）、ホソバミズゴケ（Ｓｐｈａｇｎｕｍ  ｇｉｒｇｅｎｓｏｈｎｉｉ  Ｒｕｓｓｏｗ）、チャミズゴケ（Ｓｐｈａｇｎｕｍ  ｆｕｓｃｕｍ（Ｓｃｈｉｍｐ．）Ｈ．Ｋｌｉｎｇｇｒ．）、ヒメミズゴケ（Ｓｐｈａｇｎｕｍ  ｆｉｍｂｒｉａｔｕｍ  Ｗｉｌｓｏｎ  ｅｘ  Ｗｉｌｓｏｎ  ＆  Ｈｏｏｋ．ｆ．）、スギハミズゴケ（Ｓｐｈａｇｎｕｍ  ｃａｐｉｌｌｉｆｏｌｉｕｍ（Ｅｈｒｈ．）Ｈｅｄｗ．）、ホソベリミズゴケ（Ｓｐｈａｇｎｕｍ  ｊｕｎｇｈｕｈｎｉａｎｕｍ  Ｄｏｚｙ  ＆  Ｍｏｌｋ．Ｓｕｂｓｐ．��ｓｅｕｄｏｍｏｌｌｅ（Ｗａｒｎｅｓｔ．）Ｈ．Ｓｕｚｕｋｉ）、ワタミズゴケ（Ｓｐｈａｇｎｕｍ  ｔｅｎｅｌｌｕｍ  Ｈｏｆｆｍ．）、ハリミズゴケ（Ｓｐｈａｇｎｕｍ  ｃｕｓｐｉｄａｔｕｍ  Ｈｏｆｆｍ．）、アオモリミズゴケ（Ｓｐｈａｇｎｕｍ  ｒｅｃｕｒｖｕｍ  Ｐ．Ｂｅａｕｖ．）、ウロコミズゴケ（Ｓｐｈａｇｎｕｍ  ｓｑｕａｒｒｏｓｕｍ  Ｃｒｏｍｅ）等を挙げることができる。また、日本国以外の地域原産のミズゴケを、本発明に適用することも可能であることは勿論である。【０００８】  これらのミズゴケの中でも、オオミズゴケは、「生長ミズゴケ」としても、「乾燥ミズゴケ」としても、本発明を適用するのに好適なミズゴケの一つである。【０００９】  「表層」の素材としては、乾燥ミズゴケまたは生ミズゴケ葉、茎、植物体（株）が挙げられる。【００１０】  本基盤に用いるミズゴケの植物体は、生きたものでも、死んだものでもよく、ミズゴケの茎部、葉部、枝部、又は、これらの部分の複合植物体のいずれであってもよい。さらに、ミズゴケを、湿らせた状態の乾燥ミズゴケと接触させた状態（当該乾燥ミズゴケ上にミズゴケを載置する、差し込む等により、このような状態とすることができる）。【００１１】  設置する際、設置したユニットの下部が底部の役割となり水を流すことが可能である。【００１２】  本ユニット構造は、大別すると６つのパーツからなる。すなわち（１）開放口およびその下部に水を排出させるための別の出口（以下、排流出口という）を設けた水を流す水路体、（２）水路体内部の乾燥ミズゴケ（以下、水柱という）、（３）水路体片外部表面全体または片面に薄層上に存在する乾燥ミズゴケ（以下、水流体という）、（４）内部と外部の乾燥ミズゴケをつなぐ乾燥ミズゴケ（以下、水排出吸収体という）、（５）外部乾燥ミズゴケ上に重層あるいは接地させる生きた植物（ミズゴケ、およびミズゴケ以外のその他植物であり、以下これを「コケ植物等」または「養生植物」という）、および（６）これらを固定する材である。【００１３】  この基盤がもつ、従来と異なる重要な利点は、（１）薄層壁面に設置した水路体内部に不安定な状態で水を流しても、水流体は安定かつ一定の水分状態を保持し、コケ植物等に水を供給できる点である。【００１４】  本基盤の厚さは特に限定されないが、厚さは１ｍｍ〜５００ｍｍ程度で、好適範囲は５ｍｍ〜５０ｍｍである。【００１５】  本基盤において、水路体の膜の厚さは特に限定されないが、０．１ｍｍ〜０．６ｍｍ程度、通常は０．２ｍｍ〜０．３ｍｍが好適である。また、その素材は、プラスチック、ゴム、金属等、特に限定されないが、折り曲げが容易で、かつ、経時的な耐久性に優れた素材であることが好適である。このような点から、ビニール、プラスチック（防水ゴム）等の耐錆性に優れたものが、水路体を構成する好適な素材として例示される。【００１６】  本基盤において固定されるコケ植物は特に限定されず、自然界に自生しているコケ植物をそのまま用いることも可能であり、栽培法で得たコケ植物を用いることも可能である。また、いわゆる培養法〔例えば、「植物バイオテクノロジーＩＩ」，東京化学同人：現代化学・増刊２０の第３９頁「蘚苔類の培養」（小野著）等参照の���と〕を用いた「培養ゴケ」を用いることも可能であるが、通常は、栽培法で得たコケ植物を用いることが好ましい。
この栽培されたコケ植物は、通常の栽培法で得たコケ植物を用いることができるが、特に、本発明においては、以下の方法で得られる、コケ植物断片群を用いることが好ましい。
すなわち、生長したコケ植物の群落の頂部近傍を切断し、切断したコケ植物断片を収穫物として用い、切断されたコケ植物の群落の養生を継続して行い、かつ、この養生と収穫のサイクルを繰りかえし行う、コケ植物の栽培方法において得られる、上記コケ植物の断片群を、本発明において用いることができる。
ここで、生長したコケ植物の群落は、天然のコケ植物の群落であっても、通常のパレット栽培で得られるコケ植物の群落であっても、コケ植物を固定した人工基盤を養生して得られるコケ植物の群落であってもよい。コケ植物の群落は、平置きの状態で養生したものであっても、壁面や法面等において養生したものであってもよい。頂部付近の切断を行う時期は、上記の生長したコケ植物におけるコケ植物が、概ね２〜３ｃｍ程度に達した時点が好適である。コケ植物の群落の頂部近傍の切断は、コケ植物の群落の上部（緑が多い部分）を、種々の切断器具、たとえば、ハサミ、バリカン、サンダー等を用いて行うことができる。また、ほうきや刷毛等で、コケ植物の群落の上部をなでつけることによっても、コケ植物の頂部近傍は容易に切断され、所望するコケ植物の断片を得ることができる。【００１７】  上述した切断工程の後、切断して得たコケ植物の断片は、「収穫物」として、本栽培基において載置されるコケ植物として用いることができる。また、切断された後のコケ植物の群落は、養生を継続して行いコケ植物を再び生長させることができる。この再生長させたコケ植物の群落に対して、再び切断工程を行うことで、コケ植物の断片群を再度得ることができる。この養生と収穫のサイクルを繰りかえし行うことにより、効率的にコケ植物を「収穫物」として得ることができる。【００１８】  例えば、Ａｔｒｉｃｈｕｍ  ｕｎｄｕｌａｔｕｍ（Ｈｅｄｗ．）タチゴケ、Ｐ．Ｂｅａｕｖ（Ｎａｍｉｇａｔａ−Ｔａｃｈｉｇｏｋｅ）等のＡｔｒｉｃｈｕｍ  Ｐ．Ｂｅａｕｖ．（Ｔａｃｈｉｇｏｋｅ−ｚｏｋｕ）；Ｐｏｇｏｎａｔｕｍ  ｉｎｆｌｅｘｕｍ（Ｌｉｎｄｂ．）Ｌａｃ．（Ｋｏ−ｓｕｇｉｇｏｋｅ）等のＰｏｇｏｎａｔｕｍ  Ｐ．Ｂｅａｕｖ（Ｎｉｗａ−ｓｕｇｉｇｏｋｅ−ｚｏｋｕ）；Ｐｏｌｙｔｒｉｃｈａｓｔｒｕｍ  ｆｏｒｍｏｓｕｍ（Ｈｅｄｗ．）Ｇ．Ｌ．Ｓｍｉｔｈ等のＰｏｌｙｔｒｉｃｈａｓｔｒｕｍ  Ｇ．Ｌ．Ｓｍｉｔｈ（Ｍｉｙａｍａ−ｓｕｇｉｇｏｋｅ−ｚｏｋｕ）；Ｐｏｌｙｔｒｉｃｈｕｍ  ｃｏｍｍｕｎｅ  Ｈｅｄｗ．（Ｕｍａ−ｓｕｇｉｇｏｋｅ）等のＰｏｌｙｔｒｉｃｈｕｍ  Ｈｅｄｗ．（Ｓｕｇｉｇｏｋｅ−ｚｏｋｕ）；Ｃｅｒａｔｏｄｏｎ  ｐｕｒｐｕｒｅｕｓ（Ｈｅｄｗ．）Ｂｉｒｄ．（Ｙａｎｏｕｅｎｏ−ａｋａｇｏｋｅ）等のＣｅｒａｔｏｄｏｎ  Ｂｉｒｄ．（Ｙａｎｏｕｅｎｏａｋａ−ｇｏｋｅ−ｚｏｋｕ）；Ｄｉｃｒａｎｕｍ  ｊａｐｏｎｉｃｕｍ  Ｍｉｔｔ．（Ｓｈｉｐｐｏｇｏｋｅ）、Ｄｉｃｒａｎｕｍ  ｎｉｐｐｏｎｅｎｓｅ  Ｂｅｓｃｈ（Ｏ−ｓｈｉｐｐｏｇｏｋｅ）、Ｄｉｃｒａｎｕｍ  ｓｃｏｐａｒｉｕｍ  Ｈｅｄｗ．（Ｋａｍｏｊｉｇｏｋｅ）、Ｄｉｃｒａｎｕｍ  ｐｏｌｙｓｅｔｕｍ  Ｓｗ．（Ｎａｍｉ−ｓｈｉｐｐｏｇｋｅ）等のＤｉｃｒａｎｕｍ  Ｈｅｄｗ．（Ｓｈｉｐｐｏｇｏｋｅ−ｚｏｋｕ）；Ｌｅｕｃｏｂｒｙｕｍ  ｓｃａｂｒｕｍ  Ｌａｃ．（Ｏ−ｓｈｉｒａｇａｇｏｋｅ）、Ｌｅｕｃｏｂｒｙｕｍ  ｊｕｎｉｐｅｒｏｉｄｅｕｍ（Ｂｒｉｄ．）Ｃ．Ｍｕｌｌ．（Ｈｏｓｏｂａ−ｏｋｉｎａｇｏｋｅ）等のＬｅｕｃｏｂｒｙｕｍ  Ｈａｍｐｅ（Ｓｈｉｒａｇａｇｏｋｅ−ｚｏｋｕ）；Ｂｒｙｕｍ  ａｒｇｅｎｔｅｕｍ  Ｈｅｄｗ．（Ｇｉｎｇｏｋｅ）等のＢ���ｙｕｍ  Ｈｅｄｗ．（Ｈａｒｉｇａｎｅｇｏｋｅ−ｚｏｋｕ）；Ｒｈｏｄｏｂｒｙｕｍ  ｇｉｇａｎｔｅｕｍ（ｓｃｈｗａｅｇｒ．）Ｐａｒ．（Ｏ−ｋａｓａｇｏｋｅ）等のＲｈｏｄｏｂｒｙｕｍ（Ｓｃｈｉｍｐ．）Ｈａｍｐｅ（Ｋａｓａｇｏｋｅ−ｚｏｋｕ）；Ｐｌａ（６）ａｃｕｔｕｍ（Ｌｉｎｄｂ．）Ｔ．Ｋｏｐ．（Ｋｏｔｓｕｂｏｇｏｋｅ）等のＰｌａｇｉｏｍｎｉｕｍ  Ｔ．Ｋｏｐ．（Ｔｓｕｒｕ−ｃｈｏｃｈｉｎｇｏｋｅ−ｚｏｋｕ）；Ｔｒａｃｈｙｃｙｓｔｉｓ  ｍｉｃｒｏｐｈｙｌｌａ（Ｄｏｚｙ  ｅｔ  Ｍｏｌｋ．）Ｌｉｎｄｂ．（Ｋｏｂａｎｏ−ｃｈｏｃｈｉｎｇｏｋｅ）等のＴｒａｃｈｙｃｙｓｔｉｓ  Ｌｉｎｄｂ．（Ｋｏｂａｎｏ−ｃｈｏｃｈｉｎｇｏｋｅ−ｚｏｋｕ）；Ｐｙｒｒｈｏｂｒｙｕｍ  ｄｏｚｙａｎｕｍ（Ｌａｃ．）Ｍａｎｕｅｌ（Ｈｉｎｏｋｉｇｏｋｅ）等のＰｙｒｒｈｏｂｒｙｕｍ  Ｍｉｔｔ．（Ｈｉｎｏｋｉｇｏｋｅ−ｚｏｋｕ）；Ｂａｒｔｒａｍｉａ  ｐｏｍｉｆｏｒｍｉｓ  Ｈｅｄｗ．（Ｏ−ｔａｍａｇｏｋｅ）等のＢａｒｔｒａｍｉａ  Ｈｅｄｗ．（ｔａｍａｇｏｋｅ−ｚｏｋｕ）；Ｃｌｉｍａｃｉｕｍ  ｄｅｎｄｒｏｉｄｅｓ（Ｈｅｄｗ．）Ｗｅｂ．ｅｔ  Ｍｏｈｒ（Ｆｕｒｏｓｏ）、Ｃｌｉｍａｃｉｕｍ  ｊａｐｏｎｉｃｉｕｍ  Ｌｉｎｄｂ．（Ｋｏｙａｎｏ−ｍａｎｎｅｎｇｕｓａ）等のＣｌｉｍａｃｉｕｍ  Ｗｅｂ．ｅｔ  Ｍｏｈｒ（Ｋｏｙａｎｏ−ｍａｎｎｅｎｇｕｓａ−ｚｏｋｕ）；Ｒａｃｏｍｉｔｒｉｕｍ  ｅｒｉｃｏｉｄｅｓ（Ｗｅｂ．ｅｔ  Ｂｒｉｄ）Ｂｒｉｄ（Ｈａｉ−ｓｕｎａｇｏｋｅ）、Ｒａｃｏｍｉｔｒｉｕｍ  ｊａｐｏｎｉｃｉｕｍ  Ｄｏｚｙ  ｅｔ  Ｍｏｌｋ．（Ｅｚｏ−ｓｕｎａｇｏｋｅ）、Ｒａｃｏｍｉｔｒｉｕｍ  ｃａｎｅｓｃｅｎｓ（Ｈｅｄｗ．）Ｂｒｉｄ．ｓｓｐ．ｌａｔｉｆｏｌｉｕｍ（Ｓｕｎａｇｏｋｅ）、Ｒａｃｏｍｉｔｒｉｕｍ  ｂａｒｂｕｌｏｉｄｅｓ  Ｃａｒｄ．（Ｋｏｂａｎｏｓｕｎａｇｏｋｅ）等のＲａｃｏｍｉｔｒｉｕｍ  Ｂｒｉｄ．（Ｓｈｉｍｏｆｕｒｉｇｏｋｅ−ｚｏｋｕ）；Ｈｙｐｎｕｍ  ｐｌｕｍａｅｆｏｒｍｅ  Ｗｉｌｓ．（Ｈａｉｇｏｋｅ）等のＨｙｐｎｕｍ  Ｈｅｄｗ．，ｎｏｍ．ｃｏｎｓ．（Ｈａｉｇｏｋｅ−ｚｏｋｕ）；Ｔｈｕｉｄｉｕｍ  Ｋａｎｅｄａｅ  Ｓａｋ．（Ｔｏｙａｍａ−ｓｈｉｎｏｂｕｇｏｋｅ）等のＴｈｕｉｄｉｕｍ  Ｂｒｕｃｈ  ｅｔ  Ｓｃｈｉｍｐ．ｉｎ  Ｂ．Ｓ．Ｇ．（Ｓｈｉｎｏｂｕｇｏｋｅ−ｚｏｋｕ）、Ｓｐｈａｇｎｕｍ  Ｌ．等を挙げることができるが、これらに限定されるものではない。【００１９】  これらのコケ植物は、単独種類のコケ植物を用いることは勿論のこと、２種以上を組み合わせて用いることも可能である。特に、強い日照を好むコケ植物（例えば、スナゴケ、ツノゴケ等）と、日陰を好むコケ植物（例えば、ハイゴケ、シッポゴケ、ヒノキゴケ、カサゴケ、トヤマシノブゴケ、チョウチンゴケ類等）を組み合わせて用いることにより、本栽培体が用いられる日照環境に依存せずに、コケ植物の生育を維持することが可能となる。【００２０】「他の植物」としては、いわゆる水生植物（水中〜水周辺を中心に生活する植物の総称）一般を挙げることができる。具体的には、シュロガヤツリ、地性ラン（アツモリソウ、クマガイソウ、ミズトンボ、シュンラン、トキソウ���カキラン、サギソウ、パフィオペディルム属、フラグミペディウム属、コチョウラン等）、ユキノシタ科に属する植物、アヤメ科に属する植物、モウセンゴケ科に属する植物（モウセンゴケ、コモウセンゴケ、ドロセラファルコネリー、ドロセラペティオラリス、ドロセラアデラエ、アフリカナガバノモウセンゴケ、ドロセラピグミー、イトバモウセンゴケ、ナガバノモウセンゴケ、イシモチソウ、ハエトリソウ、ドロソフィラムルシタニカム、ムジナモ等）、ムシトリスミレ属に属する植物、ビブリス属に属する植物、ウツボカズラ属に属する植物、セファロータス属に属する植物、サラセニア属に属する植物、ダーリングトニア属に属する植物、ホソバノセイタカギク等を例示できる。
【発明の効果】
【００２１】本発明により、（１）骨格基盤の課題であった柔軟性のなさと規格制約の問題を解消し、かつ（２）柔軟基盤の課題であった水道制御を行えない問題を解消することが可能で、さらに（３）薄層壁面に設置した水路体内部に不安定な流量で水を流しても、水流体は安定かつ一定の水分状態を保持しつつ、コケ植物等に水を供給できる。【００２２】  以下、本発明について、図面を用いつつ説明する。
図１は、水路体に水を注入したときの断面図である。また図２はこの水路体を壁面に固定したときの断面図である。水流水路体背部１ｃは壁面側に配置され、水位２は排流出口３の高さで調整することが可能である。注入された水は水路体の底部を流れるしくみとなっている。具体的には、壁面に位置する水流水路体背部１ｃよりビニールなど薄い防水素材を任意の幅に切断しＮ字状に壁に貼り付ける。このさい壁面と反対側の表側に面する位置に水流水路体垂れ部が設けられる。素材としては、水が流れる素材であればよく、ビニールのみに限定するものではない。壁には止板６をとりつけ、水路体をとりつけたのち留めバンド７を止めピン８で固定する。融着部に使用するピンはビス、タッカー等、水路体を固定できるものであればよく、特にここで挙げたものに制限されるものではない。また融着部に止めピン以外に接着剤でもかまわず、壁面への固定が可能であれば良い。壁面への固定には、壁の上に止板用ボードを張ってもよく、またその上に防水加工（フィルム・ビニールでも良い）を張り、水路体を順次取り付けてもかまわない。【００２３】  図３および図４は、水路体を表側正面からみた図面である。水路体は両端に翼部９をもち、翼部９と水流水路体背部（正面）１ｄは融着され融着部１０となる。融着部はシーラー等で熱融合ができ、さらにこの部分は針、鋲等を刺しても水は漏れない。また翼部両端下部は加工され、下部翼折り曲融着部１１を設ける。排流出口３ａは、水流水路体正面垂部５ａ内側の薄膜に設け、排流出口３ａを設ける高さ位置を変えることで水位線２ａが調整される。【００２４】  図５は、複数の水路体をそれぞれ垂直面に取り付けた様子を示す姿図である。上に位置する水路体は、その真下に水路体留めピン１２で壁１３に固定された水路体の内部、すなわち翼部と背部の間に、上方向から垂直に下方向に（矢印方向に）挿入する。下部の水路体に挿入される上部水路体の挿入位置については、下部水路体の排流出口３ａから開放口（背部の上位線）の範囲に挿入してあることが好ましい。挿入して積み重ねられたように（以下この状態を「積層状」という表現をすることもある）取り付けられた複数の水路体（以下このような配置を形成する水路体を「積層水路体群」と言う）において、各水路体にある排流出口３ａの位置は、上下方向に隣接する各水路体では左右交互に設ける。すなわち、挿入される側にある下方に位置する水路体の排流出口３ａが左側にある場合には、挿入する水路体には右端部排流出口３ｂを設ける。また、排出口は水路体翼部付近に開けることが望ましい。ただし、交互に排流出口３ａを設けるのは、各水路体の水部にある水の水流循環を効率よく行うためのものであり、植物を養生させる機能については、一方側のみの水路体を積層状に配置しても影響はない。また、このことについて中央部に排出口をもつ水路体、複数の排出口をもつ水路体を使用してもよく、排出口の数と位置が、水路体の積層取り付けを限定するものではない。各水路体の水位線２ａは、排流出口３の高さにあり（一つの水路体に複数の排出口をもつ場合は、最も低い位置に設けられた排出口の高さに水位線２ａがある）、各水路体が水位線２ａをもつ。【００２５】  図６および図７はそれぞれ水流水路体を取り付けた側面からの断面図および水流水路体緊張線取り込みバンドを装着した様子の断面図である。また、図８は緊張線取り込みバンドの姿図である。壁あるいは止め板６に水流水路体１を固定する。その際、水路体から水４がもれない工夫として、留めバンド（ピッチ調整バンド）７を用いて水流水路体垂部５の上部位置から固定する。留めバンド７で固定された水流水路体１の表面側から、緊張線取り込みバンド１１を水路体支持ピン１６で固定する。緊張線取り込みバンド１４ａには、側部切込みバンドホール１５があり、ここから緊張線を張る。【００２６】  図９は水流基礎盤の姿図である。基礎基盤では、各ユニットにおいて、翼部折込部９ａを設ける。これら積層水路体郡の表面側から緊張線取り込みバンド（正面）１４ａを縦断するように留めバンド７で取り付け、バンドホールを通すようにして緊張線１８を張る。尚、両端の融着部には、緊張線端部支持ピン１７で固定しても水は漏れない。【００２７】  図１０は乾燥ミズゴケ等の水吸収体を装着した断面図である。また図１１は養生植物支持留めの断面図である。水流水路体は留めバンド７で壁面に固定される。上層の水路体底部は真下にある水路体の翼部と水流水路体背部の間に入るように配置され、また水柱１９の下部は水位線２と同じ位置か下位にくるようにすることで流水４より水を吸収し、内部水柱１９を通じて上方に浸透し、次いで水排出吸収部１９ａから水流体部１９ｂへと下方へ浸透する。一方、流水４は排流出口より水流出経路線３１ａの方向へと流れ出ることで、その直下にある別の水路体に移動する。各水路体の水位線２は、排流出口３によって決められる。水路体の表面外側に位置する水排出吸収部１９ａ、水流体部１９ｂ、および養生植物またはコケ植物等２０は水路体と緊張線１８ａ・１８ｂとで挟み込むことにより固定される。【００２８】  図１２はネット包括型水流水路体組み込みの断面図である。また図１３はネット包括型養生植物支持留めの施工を示した断面図である。支持ネット２３は水流水路体を止め板６に固定する方法と同様に、留めバンドと止めピンで壁面に固定する。このとき積層状に配置した袋体において、直下に配置している水路体に固定された支持ネット２３は真上に位置する水路体の表面外側の水排出吸収部１９ａと養生植物またはコケ植物等２０を固定するために用いる。この固定方法は、まず支持ネット２３を水平に張り、その上に養生植物またはコケ植物等２０の層を設け、次いで水流体１９ｂを重層した後、引き込み矢印２２の方向に支持ネットごと２層を崩すことなく移動させ、ネット押さえピン２１で固定する。水柱１９の下部は水位線２と同じ位置か下位にくるようにセットされた水柱１９は水を吸い上げ、水排出吸収部１９ａへと水を伝える。最終的に、水分は基盤表面外側に固定されたコケ植物等２０を養生させるよう補給される。【００２９】  図１４は水を循環させた場合の積層水路体群とその経路図である。水の循環は循環ポンプ２７を使用する。水槽（水溜めタンク）２９より循環ポンプ２７によって水は、給水パイプ２４を通じて、水供給パイプ口２５から流れ出し、それを最上位にあるユニット基盤が受け止め、水循環経路線３１の矢���にしたがって水は流れる。上位のユニットから直下のユニットへの水の移動は、上位の水路体の排流出口３ａから流れ出た水は全て、直下に位置する別の水路体に受け止められる。そして、この受け止められた水がさらに下に位置する水路体へと流れ、これを繰り返して最下位にある水受け桶３０に受け止められた後、水排水パイプ口２６から再びもとの水槽２９にもどり、これが循環水２８となって再利用される。また、タンクの中に給水管と浮球ボールパルプを設置し蒸発水の補給を行うことも可能である。水流水路体は留めバンド７ａを用いてこの位置でピンを刺すため、水の循環経路よりも上である。このため、基盤外部に水が漏れることはない。さらに、水柱１９の下部は水位線２と同じ位置か下位に配置することで水柱は水路より水を吸収し、これを通じて上方に浸透させ、次いで水排出吸収部１９ａへと水分供給される。【００３０】  図１５は水吸収機能付き水路体の断面図である。また図１６は水吸収機能付き水路体の外部表面に取り付ける構造体および植物体を設置した断面図である。壁面に止めピン８で固定された水流水路体１の内側底部には水があり、この水位２から底部の範囲には水柱高さ調節枠３２を設ける。水は水路体成長ミズゴケまたは乾燥ミズゴケ水柱１９ｃを通じて成長ミズゴケまたは乾燥ミズゴケ頭部１９ｄの領域まで上昇し、その後、吸収水流水方向３４および吸収水浸透方向３５の矢印の向きへと浸透する。さらに、この浸透水は、水吸収機能付き水路体の外部表面に取り付ける水流水吸収部１９ｂを含む構造体および植物体にいきわたり、草本・木本類３３およびコケ植物等２０を養生する。本水路体では、基本的に水位で流水する本流水が、水路上部からオーバーフローすることは無い。この水路上部から吸収し浸透した水は全て水路を流れる流水より吸収した伏流水（吸収水）である。【００３１】  図１７は水吸収機能付き水路体の正面図である。留めバンドと止めピン８で固定された水路体内部へ水供給パイプ２５より水は供給され、この水４は本流水３６として矢印に示す方向に流れる。また水柱の下部は水位と同じか、これより下位に設置することで本流水３６（実線）より水を吸収し、内部水柱を通じて上方に浸透し、成長ミズゴケまたは乾燥ミズゴケ頭部１９ｄに吸水される。さらに、吸収された水は、水路体の表面外側から吸収流水流出方向３４（点線）に示す矢印の方向へと移動する。【００３２】  図１８は横寄せ型水吸収機能付き水路体の断面図である。また図１９は横寄せ型水吸収機能付き水路体の外部表面に取り付ける構造体および植物体を設置した断面図である。横寄せ型は水柱が水路底面まで挿入され、横に寄せた部分の空隙に水が流れるタイプであり、この点において縦込み式（下部の流水を吸収するタイプ）とは異なる。吸収水流方向３４の通り、水は壁を伝い構造物の表面を均等に湿らせる。コケを壁面に付けなくても自然の生物が着生しやすい環境になる。例えば、コンクリート、石面などがあげられる。保護シート３８のように土壌３７等を壁に付着させても湿らせる効果があるのでコケに限らず他の植物も生育させられる。水路体の内側底部には水があり、留めバンド取り付け位置である開放口から内側底部までの範囲に支持枠３２ａを���ける。水は水路体内部の成長ミズゴケまたは乾燥ミズゴケ水柱１９ｃを通じて成長ミズゴケまたは乾燥ミズゴケ頭部１９ｄの領域まで上昇し、そして吸収水流水方向３４の矢印のように下方向へと浸透する。この浸透水は、水吸収機能付き水路体の表面外部に取り付ける水流水吸収部１９ｂを含む構造体および植物体にいきわたり、草３３ａまたは草本・木本類３３およびコケ植物等２０を養生する。【００３３】  図２０はタイル、ブロック等への装着の様子を示す断面図である。また図２１は水吸収機能付き水路体の外部表面および下位壁面にコケ植物等を取り付けた様子を示す断面図である。タイル・ブロック４５の上位に止め板６を介して垂直および急勾配を含む斜面４４に水路体を固定する。止め板６とタイル・ブロック４５の間には支持盤４１をいれ、止め板６とタイル・ブロック４５を支持盤止め鋲４８で固定する。支持盤４１と支持盤４１の間の空間は、空隙水流部４５として用いる。またタイル・ブロック４５とタイル・ブロック４５との間には、目地含水ミズゴケ１９ｅをもつ目地ネット３９ａを置きネット支持止め盤４６とネット支持止め鋲４７によってこれを固定する。水路体内側には水柱を挿入し、水柱から成長ミズゴケまたは乾燥ミズゴケ頭部１９ｄを通して水路体の表面外部にある水流水吸収部へと浸透し、そして目地用支持ネット３９とネットコケ止め支持鋲４９で固定されたコケ植物等２０にいきわたる。さらに下方の壁面までコケ植物等２０を養成する場合は、これらを支持ネット４２および支持ネット鋲打ち込み部４２ａを設けることにより支持する。【００３４】  図２２は角型の水路体の断面図である。角型水路体５０は壁面に止めピン８で固定される。また内部に三角形状ミズゴケ水柱１９ｆを設置し、成長ミズゴケまたは乾燥ミズゴケ頭部１９ｄを開放口より上部に配置する。水柱下部は、水位２に接するかそれより下位に置く。また、片面隔離ネット８１ａで水柱と水路を隔離する。【００３５】  図２３は角型の水路体に加工ミズゴケ水柱を設置した様子を示す図面である。また図２４は加工ミズゴケ水柱の姿図である。本構造は、ミズゴケ束拘束ネット５２とミズゴケ束拘束鋲５１でミズゴケ水柱１９を束ね、これを加工ミズゴケ水柱掛け具５３によって成長ミズゴケまたは乾燥ミズゴケ頭部１９ｄに水を浸透させるものである。束ねた水柱下部は、角型水路体５０に掛け具固定鋲５４と掛け具中間固定鋲５５で水路体内部に固定する。水柱下部は水位２に接するかそれより下位に置く。また、片面隔離ネット８１ａで水柱と水路を隔離する。【００３６】  図２５は加工ミズゴケを挿入した丸型の水路体を壁に取り付けた状態の断面図である。図２６は丸型の水路体の姿図である。丸型水路体支持バンド５６で固定された丸型水路体の上部にある開口部６０より、ミズゴケ頭部をもつ束ねた水柱を挿入する。丸型水路体５７は柔軟な構造をもち、かつ水を内部に溜め込む素材であればよい。自由に曲げられるので、様々な壁面形状に取り付けることができる。壁水路を壁に取り付け後、連結加工ミズゴケ水柱体を挿入してもよい。束ねた水柱下部は水位２に接するかそれより下位に置く。図２６において丸型水路体５７は丸型水路体支持バンド５８と支持バンド鋲５９によっ��固定する。【００３７】  図２７は丸型の水路体に加工ミズゴケを連結させた状態（以下「連結加工ミズゴケ」という）で挿入する組み立て図である。また図２８は丸型の水路体を凸凹のある勾配面に接地した状態の姿図である。成長ミズゴケまたは乾燥ミズゴケ頭部１９ｄをもつ連結加工ミズゴケ水柱体６１は、矢印の挿入方向６２に丸型水路体５７開口部より挿入し、水柱下部は水位２に接するか水位線以下になるように配置する。これにより水は、水柱から成長ミズゴケまたは乾燥ミズゴケ頭部１９ｄを通じて水流水吸収部１９ｂへと浸透し、設置された丸型水路体周辺に固定された垂直面および急勾配を含む斜面４４へといきわたる。【００３８】  図２９は連結加工ミズゴケ水柱をもつ角型の水路体で、この水路体の外部表面および下位壁面にコケ植物等を取り付けた様子を示す断面図である。本水路体は上部水路体支持鋲６３と水路体支持鋲６６により垂直面および急勾配を含む斜面４４に固定される。連結加工ミズゴケ水柱体６１の下部は水位２に接するか水位線より下位に位置するように配置する。この連結加工ミズゴケ水柱体６１より導かれる水を、水路表面外側に配置された水流水吸収部１９ｂが受け取り、さらに下方向に向かって水は浸透し、養生植物またはコケ植物等２０にいきわたる。水路体の表面外側に位置する水流水吸収部１９ｂ、養生植物またはコケ植物等２０はコケ押さえネット７０で固定する。固定には、流水吸収部ネット押さえ鋲６４とコケネット押さえ鋲６５を用いる。また、水路体のない下位の壁面に位置する水流水吸収部１９ｂ、養生植物またはコケ植物等２０の固定については、壁支持体鋲６８、水路体支持鋲６６ならびにオールアンカー６７で壁面に壁支持体７１を設置したうえで、流水吸収部を流水吸収部押さえネット６９と流水吸収部ネット押さえ鋲６４、また養生植物２０をコケ押さえネット７０とコケネット押さえ鋲６５で固定する。壁支持体７１と壁面との間には接着部７２をもたせる。【００３９】  図３０は連結加工ミズゴケ水柱をもつ丸型の水路体で、この水路体の外部表面および下位壁面にコケ植物等を取り付けた様子を示す概略図である。また図３１は丸型の水路を連結する様子を示す図面である。丸型水路体上にある成長ミズゴケまたは乾燥ミズゴケ頭部に接するように１９ｄより流水吸収部の層を下方部位に配置させ、さらにその層の上に養生植物またはコケ植物等２０を置き、これを支持ネット４２を用いて固定する。固定には、ネットコケ止め支持鋲４９を用いる。本水路体は垂直および急勾配を含む斜面４４に取り付けることができる。水路体同士は、凸型水路（雄型）７３と凹型水路（雌型）７４で連結することも可能である。【００４０】  図３２は連結加工ミズゴケ水柱と吸収部あるいは水流体１９ｂを一体化させた構造体（以下「水柱・吸収部一体型構造体」という）を丸型水路体に挿入した断面図である。図３３は水柱・吸収部一体型構造体の姿図である。また図３４は壁面に水柱・吸収部一体型構造体を挿入した丸型の水路体を固定した状態の姿図である。丸型水路体の開口部に挿入された水柱１９より水を浸透させ外部におくる。外部の吸収部と一体化させた構造体は、上面拘束ネット７７と内面拘束ネット７８で外側と内側から挟み込む。丸型水路体への固定には上部止め鋲７５、中間部止め鋲７６を用いる。水柱と吸収部を一体化した構造体は、内面拘束ネット７８を水柱１９から水流体１９ｂの内側表面に層状に配置し、また上面拘束ネット７７を水流体１９ｂの外側表面に層状に配置させる。成長ミズゴケまたは乾燥ミズゴケ頭部１９ｄにネットをとりつける必要はない。水流体１９ｂ内側と外側の最外装はネット層であり、水流体はこれら両ネットの間に挟みこまれる状態でミズゴケ拘束鋲７９で固定される。また水柱１９は水柱部拘束鋲７９ａで固定される。このネットをとりつけた水柱・吸収部一体型構造体の水柱下部は水位２に接するか水位より下になるように挿入され配置される。丸型水流体５７は丸型水路体支持バンド５８によって垂直および急勾配を含む斜面４４に固定される。【００４１】  図３５は水平に固定した水路体の外部表面および下位壁面にコケ植物等を取り付けた壁の様子と水の循環経路を示す正面からの姿図である。また図３６は傾斜をつけて固定した水路体の外部表面および下位壁面にコケ植物等を取り付けた壁の様子と水の循環経路を示す正面からの姿図である。これら２つの違いは水平固定が一体型水路８０を傾斜固定が一体型水路８０ａを最上部に設置する点にある。両者とも垂直および急勾配を含む斜面４４に固定する。水の循環は循環ポンプ２７を使用する。ポンプが機能するように水位２を保つ水槽（水溜めタンク）より循環ポンプ２７によって水は、給水パイプ２４を通じて、水供給パイプ口２５から流れ出し、それを最上位にあるユニット基盤が受け止め、左辺水循環経路線３１ａおよび右辺水循環経路線３１ｂの矢印にしたがって水は流れ、最下位にある水受け桶３０に受け止められた後、水排水パイプ口から再びもとの水槽にもどり、これが循環水２８となって再利用される。また、タンクの中に給水管と浮球ボールパルプを設置し蒸発水の補給を行うことも可能である。水流水路体は留めバンド７ａを用いてこの位置でピンを刺すため、水の循環経路よりも上である。このため、基盤外部に水が漏れることはない。さらに、水柱１９の下部は水位線２と同じ位置か下位に配置することで水柱は水路より水を吸収し、これを通じて上方に浸透させ、次いで水排出吸収部１９ａへと水分供給される。最上部の水路体内部にある水柱に給水された水は水路体の表面外部に浸透し吸収水流水方向３４に向かって表面全体に水を浸透させる。【００４２】図３７は両水柱水平面設置型ミズゴケ水路の姿図である。また、図３８は平地に水路体を設置した様子と水の循環経路を示す姿図である。水供給パイプ口２５から水を最上流にある角型水路体（両方向）５０ａへと給水し、この水路体内部にある水柱は、両面隔離ネット８１により水路を確保しつつ水を吸収する。また、水柱は水位２に接するか、水位より下位に水柱下部がくるように配置し水を吸収する。吸収された水は水流吸収部１９ａを通じて水路体外部の水流体１９ｂに浸透し、平面および斜面の養成植物またはコケ植物等２０にいきわたる。保護シート３８ａを用いて土壌３７と水流体１９ｂとが直接接しないようにする。土壌隔離シートの素材はビニールなど防水効果をもつシートであればよい。本設置型のミズゴケ水路は、主に大量栽培型シ���テムとして用いることができる。水は吸収水流水方向３４の矢印のむきに移動し、その下流域には、水槽２９を設けることで、ここに溜まる水は循環ポンプ２７によって循環水２８として再利用することができる。水は上流では給水経路線３１ａの矢印の向きに、また水路体内では水流経路線３１の矢印の向きに流れる。水の供給はポンプを使用しなくても上部河川、水田、用水路等からの引き込み水を使用できる。壁面に設置する水路体も同様である。
【図面の簡単な説明】
【図１】底部に水が溜まっている状態のビニール袋体の断面図である。
【図２】図１のビニール袋体を壁面または止板にとりつけたときの断面図である。
【図３】水流袋体の正面からみた図面である。
【図４】水流袋体を加工したときの正面からみた図面である。
【図５】水流袋体取り付け姿図である。
【図６】水流袋体を取り付けた側面からの断面図である。
【図７】水流袋体緊張線取り込みバンドを装着した断面図である。
【図８】緊張線取り込みバンドの姿図である。
【図９】水流基礎盤の姿図である。
【図１０】乾燥ミズゴケ等の水吸収体を装着した断面図である。
【図１１】養生植物支持留めの断面図である。
【図１２】ネット包括型水流袋体組み込みの断面図である。
【図１３】ネット包括型養生植物支持留めの施工を示した断面図である。
【図１４】水循環経路図である。
【図１５】水吸収機能付き水路体の断面図である。
【図１６】水吸収機能付き水路体の外部表面に取り付ける構造体および植物体を設置した断面図である。
【図１７】水吸収機能付き水路体の正面図である。
【図１８】横寄せ型水吸収機能付き水路体の断面図である。
【図１９】横寄せ型水吸収機能付き水路体の外部表面に取り付ける構造体および植物体を設置した断面図である。
【図２０】タイル、ブロック等への装着の様子を示す断面図である。
【図２１】水吸収機能付き水路体の外部表面および下位壁面にコケ植物等を取り付けた様子を示す断面図である。
【図２２】角型の水路体の断面図である。
【図２３】角型の水路体に加工ミズゴケ水柱を設置した様子を示す図面である。
【図２４】加工ミズゴケ水柱の姿図である。
【図２５】加工ミズゴケを挿入した丸型の水路体を壁に取り付けた状態の断面図である。
【図２６】丸型の水路体の姿図である。
【図２７】丸型の水路体に加工ミズゴケを連結させた状態（以下「連結加工ミズゴケ」という）で挿入する組み立て図である。
【図２８】丸型の水路体を凸凹のある勾配面に接地した状態の姿図である。
【図２９】連結加工ミズゴケ水柱をもつ角型の水路体で、この水路体の外部表面および下位壁面にコケ植物等を取り付けた様子を示す断面図である。
【図３０】連結加工ミズゴケ水柱をもつ丸型の水路体で、この水路体の外部表面および下位壁面にコケ植物等を取り付けた様子を示す概略図である。
【図３１】丸型の水路を連結する様子を示す図面である。
【図３２】連結加工ミズゴケ水柱と吸収部を一体化させた構造体（以下「水柱・吸収部一体型構造体」という）を丸型水路体に挿入した断面図である。
【図３３】水柱・吸収部一体型構造体の姿図である。
【図３４】壁面に水柱・吸収部一体型構造体を挿入した丸型の水路体を固定した状態の姿図である。
【図３５】水平に固定した水路体の外部表面および下位壁面にコケ植物等を取り付けた壁の様子と水の循環経路を示す正面からの姿図である。
【図３６】傾斜をつけて固定した水路体の外部表面および下位壁面にコケ植物等を取り付けた壁の様子と水の循環経路を示す正面からの姿図である。
【図３７】両水柱水平面設置型ミズゴケ水路の姿図である。主に大量栽培型システムとして用いることができる。
【図３８】平地に水路体を設置した様子と水の循環経路を示す姿図である。
【図１】
2009207479.tif 000003
【図２】
2009207479.tif 000004
【図３】
2009207479.tif 000005
【図４】
2009207479.tif 000006
【図５】
2009207479.tif 000007
【図６】
2009207479.tif 000008
【図７】
2009207479.tif 000009
【図８】
2009207479.tif 000010
【図９】
2009207479.tif 000011
【図１０】
2009207479.tif 000012
【図１１】
2009207479.tif 000013
【図１２】
2009207479.tif 000014
【図１３】
2009207479.tif 000015
【図１４】
2009207479.tif 000016
【図１５】
2009207479.tif 000017
【図１６】
2009207479.tif 000018
【図１７】
2009207479.tif 000019
【図１８】
2009207479.tif 000020
【図１９】
2009207479.tif 000021
【図２０】
2009207479.tif 000022
【図２１】
2009207479.tif 000023
【図２２】
2009207479.tif 000024
【図２３】
2009207479.tif 000025
【図２４】
2009207479.tif 000026
【図２５】
2009207479.tif 000027
【図２６】
2009207479.tif 000028
【図２７】
2009207479.tif 000029
【図２８】
2009207479.tif 000030
【図２９】
2009207479.tif 000031
【図３０】
2009207479.tif 000032
【図３１】
2009207479.tif 000033
【図３２】
2009207479.tif 000034
【図３３】
2009207479.tif 000035
【図３４】
2009207479.tif 000036
【図３５】
2009207479.tif 000037
【図３６】
2009207479.tif 000038
【図３７】
2009207479.tif 000039
【図３８】
2009207479.tif 000040